(57)【特許請求の範囲】
【請求項１】
被加工物に取り外し可能に固定される固定用部材と、
該固定用部材から上方に延びるコラムと、
該コラムの周囲に設定されて該コラムに沿って摺動可能とされた筒状摺動体と、
該筒状摺動体の上端部に連結された工具本体と、
該工具本体と該固定用部材との間に設定された給油タンクであって、該筒状摺動体に取り外し可能に固定された給油タンクと、
を有し、
工具本体は、
該給油タンクからの切削油を受入れる切削油入口を備え、受け入れた切削油を切削工具まで導く切削油供給路であって、該切削油入口を該固定用部材に向けて下向きに設けた切削油供給路を有し、
該給油タンクは、
上向きに設けられて該切削油入口と連通される切削油出口を有し、
該コラム上で上方に変位された該工具本体に対して、該給油タンクを、該切削油出口が該切削油入口に上下方向で整合させた状態で、下側から近づけることにより、該給油タンクの切削油出口が該工具本体の切削油入口に接続されるようにしたことを特徴とする給油装置付き穿孔装置。
【請求項２】
該工具本体が、該給油タンクに接続される加圧空気出口を備え、加圧空気を該給油タンクに供給するための加圧空気供給路を有する加圧空気供給装置であって、該加圧空気出口を該固定用部材に向けて下向きに設けた加圧空気供給装置を有し、
該給油タンクは、上向きに設けられて該加圧空気出口と連通される加圧空気入口を有し、加圧空気供給装置からの加圧空気を受け入れることにより当該給油タンク内を加圧し、それにより、切削油を該切削油出口から排出し、該切削油供給路を介して切削工具へ給油するようにされ、
該コラム上で上方に変位された該工具本体に対して、該切削油出口を該切削油入口に上下方向で整合させ、且つ、該加圧空気入口を該加圧空気出口に上下方向で整合させた状態で、該給油タンクを、下側から近づけることにより、該給油タンクの切削油出口及び該加圧空気入口が、それぞれ、該工具本体の切削油入口及び加圧空気出口に接続されるようにしたことを特徴とする請求項１に記載の給油装置付き穿孔装置。
【請求項３】
該工具本体が、該工具本体から該固定用部材に向けて突出するプラグであって、その中に該切削油入口及び加圧空気出口が相互に平行で下向きに設けられているプラグを有し、
該給油タンクが、該工具本体の該プラグに嵌合するソケットであって、その中に該切削油出口及び該加圧空気入口が相互に平行で上向きに設けられているソケットを有し、
該給油タンクを、該工具本体の下側から近づけて、該ソケットを該プラグに嵌合させることにより、該給油タンクの切削油出口及び該加圧空気入口が、それぞれ、該工具本体の切削油入口及び加圧空気出口に連結されるようにしたことを特徴とする請求項２に記載の給油装置付き穿孔装置。
【請求項４】
該筒状摺動体が、
その長さ方向に沿って設けられたスリットと、
該スリットを介して相互に対向するようにして半径方向外側に延びる一対の固定用片と、
該一対の固定用片の一方から延びるように取付けられた操作部材を有し、該操作部材を操作することにより、該固定用片を相互に近づけて該筒状摺動体を該コラム上に固定し、該固定用片を相互に離して該筒状摺動体が該コラム上で摺動可能なるようにする締着手段と
を有し、
該給油タンクが、
該固定用片を介して該コラムに対向するように配置される切削油を収納するためのタンク本体と、
該一対の固定用片の他方の側にある該タンク本体の側面に固定され、該筒状摺動体の方向に延出し、該筒状摺動体に固定するようにされたタンク取付部材を有し、
該切削油出口が、該タンク取付部材に形成されている請求項１に記載の給油装置付き穿孔装置。
【請求項５】
該筒状摺動体が、
その長さ方向に沿って設けられたスリットと、
該スリットを介して相互に対向するようにして半径方向外側に延びる一対の固定用片と、
該一対の固定用片の一方から延びるように取付けられた操作部材を有し、該操作部材を操作することにより、該固定用片を相互に近づけて該筒状摺動体を該コラム上に固定し、該固定用片を相互に離して該筒状摺動体が該コラム上で摺動可能なるようにする締着手段と
を有し、
該給油タンクが、
該固定用片を介して該コラムに対向するように配置される切削油を収納するためのタンク本体と、
該一対の固定用片の他方の側にある該タンク本体の側面に固定され、該筒状摺動体の方向に延出し、該筒状摺動体に固定するようにされたタンク取付部材を有し、
該切削油出口及び加圧空気入口が、該タンク取付部材に形成されている請求項２に記載の給油装置付き穿孔装置。
【請求項６】
該筒状摺動体が、
その長さ方向に沿って設けられたスリットと、
該スリットを介して相互に対向するようにして半径方向外側に延びる一対の固定用片と、
該一対の固定用片の一方から延びるように取付けられた操作部材を有し、該操作部材を操作することにより、該固定用片を相互に近づけて該筒状摺動体を該コラム上に固定し、該固定用片を相互に離して該筒状摺動体が該コラム上で摺動可能なるようにする締着手段と
を有し、
該給油タンクが、
該固定用片を介して該コラムに対向するように配置される切削油を収納するためのタンク本体と、
該一対の固定用片の他方の側にある該タンク本体の側面に固定され、該筒状摺動体の方向に延出し、該筒状摺動体に固定するようにされたタンク取付部材を有し、
該ソケットが該タンク取付部材に設けられている請求項３に記載の給油装置付き穿孔装置。
【請求項７】
該工具本体は、該筒状摺動体の上端に固定されたケーシングと、該筒状摺動体の該
一対の固定用片が設けられた側とは直径方向で反対側において該ケーシングに上下方向で変位可能とされた電動ドリル部とを有し、
該筒状摺動体は、該電動ドリル部を上下方向で案内するために設けられたガイド溝を有する請求項４乃至６のいずれかに記載の給油装置付き穿孔装置。
【請求項８】
該筒状摺動体が、該筒状摺動体の該一対の固定用片が設けられた側とは直径方向で反対側において延び、該ガイド溝を形成するガイド溝形成部を有し、
該タンク取付部材は、該ガイド溝形成部の側面に固定される請求項７に記載の給油装置付き穿孔装置。
【請求項９】
該タンク本体は、該一対の固定用片を介して該筒状摺動体に対向するように配置された部分と、該部分から該一対の固定用片の該他方と該タンク取付部材との間を該ガイド溝形成部に向けて延出する延出部分とを有する請求項８に記載の給油装置付き穿孔装置。
【発明の詳細な説明】
【技術分野】
【０００１】
本発明は、給油装置付き穿孔装置に関する。
【背景技術】
【０００２】
被加工物に対して電磁石により固定可能とされた固定用部材と、切削工具に対して切削油を供給する切削油供給装置を備えた穿孔装置が知られている。（例えば、特許文献１参照）
【０００３】
このような穿孔装置における切削油供給装置は給油タンクを備えるが、当該穿孔装置の搬送や使用に当たって、周囲のものとぶつかって損傷を受けやすい。このため、給油タンクをそのような損傷を受けにくい位置に設定することが望まれる。
【０００４】
上記特許文献１に開示された切削工具においては、給油タンクを電磁石式の固定用部材と、該固定用部材の上方位置に取り付けられた切削刃駆動装置との間の隙間スペースに設定されるようになっている。
【発明の開示】
【発明が解決しようとする課題】
【０００５】
特許文献１に開示された穿孔装置においては、給油タンクが上記のように配置されるので損傷を受けにくくなっているが、損傷は避けられず、適宜交換することが必要となる。このため、給油タンクを容易に交換ができ、しかも、給油タンクから工具本体の給油路への接続も確実に行なえるようにすることが必要となる。
【０００６】
本発明は、そのようなことを可能にする給油タンク付き穿孔装置を提供することを目的としている。
【特許文献１】特開２００６−０６１９９３
【課題を解決するための手段】
【０００７】
すなわち、本発明は、
被加工物に取り外し可能に固定される固定用部材と、
該固定用部材から上方に延びるコラムと、
該コラムの周囲に設定されて該コラムに沿って摺動可能とされた筒状摺動体と、
該筒状摺動体の上端部に連結された工具本体と、
該工具本体と該固定用部材との間に設定された給油タンクであって、該筒状摺動体に取り外し可能に固定された給油タンクと、
を有し、
工具本体は、
該給油タンクからの切削油を受入れる切削油入口を備え、受け入れた切削油を切削工具まで導く切削油供給路であって、該切削油入口を該固定用部材に向けて下向きに設けた切削油供給路を有し、
該給油タンクは、
上向きに設けられて該切削油入口と連通される切削油出口を有し、
該コラム上で上方に変位された該工具本体に対して、該給油タンクを、該切削油出口が該切削油入口に上下方向で整合させた状態で、下側から近づけることにより、該給油タンクの切削油出口が該工具本体の切削油入口に接続されるようにしたことを特徴とする給油装置付き穿孔装置を提供する。
【０００８】
この穿孔装置においては、工具本体を上方位置にした状態で給油タンクを容易に取り付けることができるとともに、工具本体を下方位置に戻して、該給油タンクを工具本体と固定用部材との間に挟むようにすることにより、当該給油タンクを確実に固定することができると共に、該給油タンクが周囲のものにぶつかって損傷を生じるのを少なくすることができる。更に、給油タンクを取り付けるのに、該給油タンクを工具本体の下に位置させ、上方に動かして行なうので、該給油タンクの横方向での出っ張りを少なくすることが可能であり、従って、該タンクの上記損傷をより少なくすることが可能となる。
【０００９】
この穿孔装置においては、更に、
該工具本体が、該給油タンクに接続される加圧空気出口を備え、加圧空気を該給油タンクに供給するための加圧空気供給路を有する加圧空気供給装置であって、該加圧空気出口を該固定用部材に向けて下向きに設けた加圧空気供給装置を有し、
該給油タンクは、上向きに設けられて該加圧空気出口と連通される加圧空気入口を有し、加圧空気供給装置からの加圧空気を受け入れることにより当該給油タンク内を加圧し、それにより、切削油を該切削油出口から排出し、該切削油供給路を介して切削工具へ給油するようにされ、
該コラム上で上方に変位された該工具本体に対して、該切削油出口を該切削油入口に上下方向で整合させ、且つ、該加圧空気入口を該加圧空気出口に上下方向で整合させた状態で、該給油タンクを、下側から近づけることにより、該給油タンクの切削油出口及び該加圧空気入口が、それぞれ、該工具本体の切削油入口及び加圧空気出口に接続されるようにすることができる。
【００１０】
具体的には、
該工具本体が、該工具本体から該固定用部材に向けて突出するプラグであって、その中に該切削油入口及び加圧空気出口が相互に平行で下向きに設けられているプラグを有し、
該給油タンクが、該工具本体の該プラグに嵌合するソケットであって、その中に該切削油出口及び該加圧空気入口が相互に平行で上向きに設けられているソケットを有し、
該給油タンクを、該工具本体の下側から近づけて、該ソケットを該プラグに嵌合させることにより、該給油タンクの切削油出口及び該加圧空気入口が、それぞれ、該工具本体の切削油入口及び加圧空気出口に連結されるようにすることができる。
【００１１】
この穿孔装置においては、給油タンクを加圧空気で加圧することにより切削油を該給油タンクから排出し、工具へ給油するようにしているのであるが、給油タンク及び工具本体との間における給油系統及び加圧空気供給系統の接続が、一箇所にまとめられ、それらの連結、連結解除が同時に行なわれるようにしている。そして、ソケットとプラグとを嵌合、嵌合解除することによりそれらの連結、連結解除がおこなわれるようにしているのである。
【００１２】
より具体的には、
該筒状摺動体が、
その長さ方向に沿って設けられたスリットと、
該スリットを介して相互に対向するようにして半径方向外側に延びる一対の固定用片と、
該一対の固定用片の一方から延びるように取付けられた操作部材を有し、該操作部材を操作することにより、該固定用片を相互に近づけて該筒状摺動体を該コラム上に固定し、該固定用片を相互に離して該筒状摺動体が該コラム上で摺動可能なるようにする締着手段と
を有し、
該給油タンクが、
該固定用片を介して該コラムに対向するように配置される切削油を収納するためのタンク本体と、
該一対の固定用片の他方の側にある該タンク本体の側面に固定され、該筒状摺動体の方向に延出し、該筒状摺動体に固定するようにされたタンク取付部材を有し、
該切削油出口が、該タンク取付部材に形成されるようにすることができる。
【００１３】
また、該工具本体は、該筒状摺動体の上端に固定されたケーシングと、該筒状摺動体の該一対の固定用片が設けられた側とは直径方向で反対側において該ケーシングに上下方向で変位可能とされた電動ドリル部とを有し、
該筒状摺動体は、該電動ドリル部を上下方向で案内するために設けられたガイド溝を有するようにすることができる。
【００１４】
更に、
該筒状摺動体が、該筒状摺動体の該一対の固定用片が設けられた側とは直径方向で反対側において延び、該ガイド溝を形成するガイド溝形成部を有し、
該タンク取付部材は、該ガイド溝形成部の側面に固定されるようにすることができる。
【００１５】
また、
該タンク本体は、該一対に固定用片を介して該筒状摺動体に対向するように配置された部分と、該部分から該一対の固定用片の該他方と該タンク取付部材との間を該ガイド溝形成部に向けて延出する延出部分とを有するようにすることができる。
【発明を実施するための最良の形態】
【００１６】
以下、本発明に係る穿孔装置の実施形態を添付図面に基づき説明する。
【００１７】
図１は本発明に係る穿孔装置１０の正面図、図２は同穿孔装置の背面図、図３は同穿孔装置から給油タンク２０を外した状態を示す正面図、図４は図１の穿孔装置において給油タンクが取り付けられていないときの部分断面正面図、図５は図１の穿孔装置の右側面図、図６は図１の穿孔装置の左側面図、図７は図４のIIV−IIV線断面図である。
【００１８】
図示のように、穿孔装置１０は、被加工物Ｗに電磁石により取り外し可能に固定される固定用部材１２と、該固定用部材１２から垂直に延びるコラム１４（図３、図４）と、該コラムの周囲に設定されて該コラムに沿って摺動可能とされた筒状摺動体１６と、該筒状摺動体１６の上端部上に連結された工具本体１８と、該工具本体１８と該固定用部材１２との間に設定された給油タンク２０であって、該筒状摺動体に取り外し可能に固定された給油タンク２０とを有する。
【００１９】
工具本体１８は筒状摺動体１６の上端部に一体に形成されているケーシング２２（図４）と、該ケーシングの（図４で見て）右側に上下方向で変位可能に設けられた電動ドリル部２４とを有している。電動ドリル部２４は、電動モータ２６を有し、該電動モータの出力軸２８からギア３０，３２，３４，３６を介してアーバー３８を回転駆動するようになっている。アーバー３８の下端には図示しない環状刃物が、該アーバーと共軸状に取り付けられるようになっている。電動ドリル部２４のハウジング３９には、ラック４０（図４）が固定されており、該ラックは工具本体のケーシング２２に回転可能に取り付けられたピニオン４２が係合されており、穿孔作業時には、図２に示すハンドル４４によって該ピニオン４２を回転することにより、電動ドリル部２４を上下動することができるようになっている。図７に示すように、筒状摺動部１６には、断面が蟻継ぎ型のガイド溝４８が上下方向に延びるように形成されており、電動ドリル部のハウジング３９に形成された蟻継ぎ型凸条部５０が摺動係合されており、電動ドリル部が該ガイド溝４８によって案内されるようになっている。
【００２０】
筒状摺動部１６は、図４及び図７から分かるように、その下端から上端近くまで当該筒状摺動部１６の軸線方向に延びたスリット５４が形成されており、該スリットを間に挟んで相互に対向するようにして半径方向外側に延びる一対の固定用片５６が形成され、該固定用片には、相互に整合されたネジなし穴５７とネジ穴５８が形成されて、レバー６０によって回転されるクランプネジ６２が該ネジなし穴５７を挿通されてネジ穴５８にネジ係合されている。これにより、レバー６０を回動することにより、両固定用片５６を相互に引き寄せたり離したりして、筒状摺動体１６（従って工具本体１８）をコラム１４に締め付けて該筒状摺動体１６をコラム上で固定したり、該コラム上で摺動可能としたりすることができるようになっている。図４において６７は電源への接続コード、６８は電動ドリル部２４の電動モータ２６及び（固定用部材１２の図示しない）電磁石に対するスイッチ手段の一部、７０は該電磁石に対する電力供給線、７１は工具本体１８のケーシング２２に取り付けられた取手７３に沿って設けられた、電動ドリル２４に対する電力供給線を示す。
【００２１】
図８は、給油タンク２０と取り付けた状態の穿孔装置１０を、図４におけるVII−VII線断面と同じ断面で見た図である。図示のように、給油タンク２０は、筒状摺動体１６の一部を囲むように設定されたタンク本体７２と、該タンク本体の側面にボルト７７により固定されたタンク取付部材７４とを有している。タンク取付部材７４を図８のIX−IX線に沿った断面で示す図９及び図１などから分かるように、タンク取付部材７４は、給油タンク２０を正面から見た場合、全体として四角形で補強のためのリブ７６が碁盤の目のように形成され、タンク本体７２から延出した延出部分７２´にボルト７８を通し、筒状摺動体１６に固定するようになっている。該タンク取付部材７４の電動ドリル側にある延出部分７２´は、穿孔作業のときに発生するチップから該タンク取付部材を保護するためのチップカバー８０がビス８２により取り付けられている。また、該タンク取付部材７４には、図９及び図１０に示すように、当該タンク取付部材の上方縁近くで上向きに開口した加圧空気入口９３から垂直下方に延びて、その下端がタンク本体７２の側壁に設けられた（図示しない）開口に連結されたエア通路９４が設けられ、同様の切削油通路９６も該エア通路９４に平行に設けられている。
【００２２】
これに対応して、工具本体１８のケーシング２２の側壁外側面２２´には、図９に示すように加圧空気供給路１００と、切削油供給路１０２が設けられ、それぞれ、エア通路９４と切削油通路９６に連通されるようになっている。
【００２３】
加圧空気供給路１００は、エアフィルタ１０４から、２つのユニモルフポンプ（圧電ポンプ）１０６を通り、逆止弁１０８付きの加圧空気出口１０７まで延びている。一方、切削油供給路１０２は、切削油通路９６の上端出口に連通された切削油入口１０９から開閉弁１１０、オイルドロッパ１１２を介して、電動ドリルのハウジング３９の外表面に開口された切削油受入口に連通された切削油出口１１４まで延びている。オイルドロッパ１１２は、透明の筒状の部材で、切削油の流れを外側から確認できるようにするためのものである。側壁外側面２２´には、カバー２３（図１）が取り外し可能に取り付けられており、加圧空気供給路１００や切削油供給路１０２を保護している。
【００２４】
図１２が、ユニモルフポンプ１０６の断面図であり、ケーシング１２０内に、ユニモルフシート１２２が張設され、該ユニモルフシートに交番電圧をかけることにより該ユニモルフシートを振動させ、それにより、逆止弁１２４，１２６を介する加圧空気供給路１００内の流れを生じる。このユニモルフポンプに関しては、例えば、特開２００７−１３２２５２号などに開示があり、ここでは、その詳細な説明は省略する。
給油タンク２０内には、エア通路９４において受け入れられた加圧空気供給路１００からの加圧空気が供給されて内部圧が上昇され、それによって、該給油タンク内の切削油が、先端が切削油内に浸漬されているチューブ１３１及び切削油通路９６を介して切削油供給路１０２に供給される。
【００２５】
図示の実施形態においては、工具本体１８のケーシング２２の側壁下端縁に、該下端縁から下方に突出するようにプラグ１３０が設けられ、加圧空気供給路１００の逆止弁１０８付きの空気出口１０７及び切削油供給路１０２の切削油入口１０９が、該プラグ１３０内に相互に平行に設定されている。図１１は、ケーシング２２から外したプラグ１３０を示している。この図に明らかなように、逆止弁１０８はダックビルタイプのものとされている。これに対して、タンク取付部材７４の上端面には該プラグ１３０を受け入れるソケット１３２が形成され、該ソケットにはエア通路９４及び切削油通路９６の上端部分が設定されており、該プラグ１３０と該ソケット１３２とを嵌合することにより、エア通路９４及び切削油通路９６が、それぞれ、加圧空気供給路１００及び切削油供給路１０２に連通されるようになっている。
【００２６】
この穿孔装置において、給油タンクの交換設定を行う場合には、レバー６０を図４の位置から時計方向に回動することにより、筒状摺動体１６の一対の固定用片５６が相互に離れるようにして、該筒状摺動体１６のコラム１４に対する締め付けを緩め、該筒状摺動体１６（従って、工具本体１８）を上方に持ち上げる。また、給油タンク２０のタンク取付部材７４からはチップカバー８０を取り外し、タンク取付部材７４を筒状摺動体１６に固定しているボルト７８を露出させ、該ボルト７８を取り外して、給油タンク２０を下方にさげれば、タンク取付部材７４のソケット１３２は、工具本体１８のケーシング２２のプラグ１３０からはずれ、当該給油タンク２０は加圧空気供給路１００及び切削油供給路１０２から外される。その後、交換すべき給油タンクを、工具本体のケーシングの下方に位置させ、これを持ち上げることにより、ソケット１３２とプラグ１３０とを嵌合させ、それにより、この給油タンク２０と、加圧空気供給路１００及び切削油供給路１０２との連通を行なう。その後、ボルト７８により該給油タンク２０を筒状摺動体１６に固定し、該筒状摺動体（従って、工具本体１８）をコラム１４に沿って下方に摺動させ、取り付けた給油タンク２０を該工具本体のケーシング２２と固定用部材１２の間で挟着するようにする。その後チップカバー８０を取り付ける。
【図面の簡単な説明】
【００２７】
【図１】本発明に係る穿孔装置１０の正面図である。
【図２】同穿孔装置の背面図である。
【図３】同穿孔装置から給油タンク２０を外した状態を示す正面図である。
【図４】図１の穿孔装置において給油タンクが取り付けられていないときの部分断面正面図である。
【図５】図１の穿孔装置の右側面図である。
【図６】図１の穿孔装置の左側面図である。
【図７】図４のIIV−IIV線断面図である。
【図８】給油タンクを取り付けた状態の穿孔装置を、図４におけるVII−VII線断面と同じ断面で見た図である。
【図９】図１の穿孔装置を、その工具本体のケーシングのカバーを外して見た図であり、給油タンクのタンク取付部材は図８のIX−IX線断面で見た状態で示されている。
【図１０】タンク取付部材を、該部材に形成されている切削油通路に沿って断面にして見た図である。
【図１１】工具本体から取り外したプラグの部分断面図である。
【図１２】ユニモルフポンプの断面図である。
【符号の説明】
【００２８】
穿孔装置１０；固定用部材１２；コラム１４；筒状摺動体１６；工具本体１８；給油タンク２０；ケーシング２２；側壁外側面２２´；電動ドリル部２４；電動モータ２６；出力軸２８；ギア３０，３２，３４，３６；アーバー３８；電動ドリル部のハウジング３９；ラック４０；ピニオン４２；ハンドル４４；ガイド溝４８；スリット５４；固定用片５６；ネジなし穴５７；ネジ穴５８；レバー６０；クランプネジ６２；タンク本体７２；ボルト７７；タンク取付部材７４；リブ７６；延出部分７２´；チップカバー８０；ビス８２；加圧空気入口９３；エア通路９４；切削油通路９６；加圧空気供給路１００；切削油供給路１０２；ユニモルフポンプ（圧電ポンプ）１０６；加圧空気出口１０７；逆止弁１０８；切削油入口１０９；開閉弁１１０；オイルドロッパ１１２；切削油出口１１４；ユニモルフシート１２２；逆止弁１２４，１２６；チューブ１３１；プラグ１３０；ソケット１３２
【図１】
0004912977.tif 000002
【図２】
0004912977.tif 000003
【図３】
0004912977.tif 000004
【図４】
0004912977.tif 000005
【図５】
0004912977.tif 000006
【図６】
0004912977.tif 000007
【図７】
0004912977.tif 000008
【図８】
0004912977.tif 000009
【図９】
0004912977.tif 000010
【図１０】
0004912977.tif 000011
【図１１】
0004912977.tif 000012
【図１２】
0004912977.tif 000013